(57)【要約】　　　（修正有）【課題】針に掛かったいかの脱落を防止し、釣り成果を向上させる、いか挟み刺し脱落防止針を提供する。【解決手段】軸針２７にいか１０が掛かると重量と引く力で軸２６がスライドし磁力離し盤９で磁力はオフとなり重もり付スライド針２８はスライドし下部針２７と上、下で挟さみ刺しを設けいか外し場所３９と４０でスライド針２８は上、下が反対となり重もり２０と軸２６は定位置に落下し磁力８によってケース１２の内部に収納し絡らみを防止しケース外面は疑似餌色調形を設けケース内部より針２８、２９を出し入れして挟さみ刺し外面形は従来通りの疑似餌針形調を設ける。【選択図】　図１
2004097197.tif 000002
【特許請求の範囲】
【請求項１】
スライド穴を設けた重もり（２０）に磁石（８−１）又は吸着材（１１）と針（２８、２９）と針（２９）の作動ピン（１７）といか（１０）の持ち上げ防止（１３）と針取替装置（１４）等の装置を設けたこの重もり（２０）を磁力オフ装置（９）と針（２７）と幹糸（３）の貫通口（４）と軸（２６−１）とこの軸（２６−１）と軸（２６）の接続（３７）と針（２７）の取替装置（３８）とストッパー（３２）等の装置を設けた軸（２６）に設け、この軸（２６）とこの軸（２６）に設けた装置等を、針（２８、２９）のガイドを設け又は開閉スライド装置（１８）を設けたこれ等の装置を内部に収納装置を設け外面疑似餌色調と幹糸（３）との接続装置（３０、３３）等の装置を設けた、ケース（１２）に設け、軸針（２７）にいか（１０）が掛かると重量と引く力で磁力オフ装置（９）でオフとなり重もり付スライド針（２８）は落下又はリング付スライド針（２９）はケース（１２）に設けた開閉装置（１８）で放射状に開き落下し下部針（２７）と上下で挟さみ刺し装置を設け、いか脱落防止を設けいか外し装置（１５）で外し針（２７、２８、２９）は上下の向きが反対となり重もり付針（２８、２９）と軸針（２７）は重もり（２０）の落下でともに下がりケース（１２）の中に収納し磁力（８）でオンとなり定位置収納保持装置を設け軸（２６）と（２６−１）の曲り自在接続装置（３７）を設け巻上げ巻下げドラム（１−１）のとび出し絡らみ防止装置を設けてなるいか挟さみ刺し脱落防止針
【請求項２】
スライド穴を設けた重もり（２０）に針（２８）又は針の１端部に穴を設けたリング針（２９）と磁石（８−１）又は磁力吸着材（１１）とリング針（２９）の作動ピン（１７）といか（１０）の持上げ防止（１３）と針取替装置（１４）等の装置を設け、この重もり（２０）にスライド軸（２６）を通しこの軸（２６）の下部に針（２７）と磁力オフ装置（９）を設けこれをケース（１２）に設けた磁石（８）に通しこの磁力（８）とスライド重もり（２０）に設けた吸着材（１１）の間だに磁力オフ装置（９）を設け軸針（２７）にいか（１０）が掛かると増加重量により軸（２６）は下がると同時に磁力オフ装置（９）が下がりケース（１２）に設けた磁力（８）と重もり（２０）に設けた吸着材（１１）の吸着が離れ針（２８）又は（２９）付きのスライド重もり（２０）は落下し下部針（２７）と上、下で挟さみ刺し装置を設けてなる請求項１記載のいか挟さみ刺し脱落防止針
【請求項３】
上記スライド軸（２６）は幹糸（３）のスライド穴（４）とケース（１２）に設けた磁力（８）の吸着オフ装置（９）と針（２７）とストッパー（３２）を設けいか（１０）が針（２７）に掛かると増加重で下部軸（２６が下がりケース（１２）に設けた磁力（８）と重もり（２０）に設けた吸着材（１１）の吸着が吸着オフ装置（９）によって離れ針付き重もり（２０）の落下装置を設けたことを特徴とする請求項１又は２、３の記載のいか挟さみ刺し脱落防止針
【請求項４】
上記スライド穴を設けた重もり（２０）に針（２８）又は針の１端部に穴を設けたリング針（２９）と磁石（８−１）又は磁力吸着材（１１）とリング針（２９）の作動ピン（１７）と針取替装置（１４）等の装置を設けこのスライド穴付針（２８、２９）付重もり（２０）を軸（２６）に設けて重量の落下による装置でいか（１０）の上、下挟さみ刺しと、重量移動による定位置にセット装置を設けたことを特徴とする請求項１又は２、３記載のいか挟さみ刺し刺し脱落防止針
【請求項５】
上記ケース（１２）は磁石（８）とケース（１２）と幹糸（３）の接続装置（３０、３３）と軸（２６）のスライドと重もり（２０）に設けた針（２８）のスライド出し入れのガイドとリング針（２９）の放射状開閉ガイド（１８）を設け又軸（２６）とスライド針付重もり（２０）をケース（１２）の内部に収納し絡らみ防止を設け外面は疑似餌色調を設けケース（１２）から針（２８、２９）を出し入れ挟さみ刺し収納装置を特徴とする請求項１又は２、３、４３、４記載のいか挟さみ刺し脱落防止針
【発明の詳細な説明】
【０００１】
〔発明の属する技術分野〕
本発明は海中にていか釣り漁であるが多目的にも利用出来る
【０００２】
〔従来の技術〕
従来のいか釣り漁は針先が海面上部方向にむり針に外れ止めがなく約４０％脱落する
【０００３】
〔発明が解決しようとする課題〕
これでは釣り成果も悪く無駄な浪費、然費、経費人件費が生じる
【０００４】
〔課題を解決するための手段〕
本発明の請求項１はスライド穴を設けた重もり（２０）に磁石（８−１）又は吸着材（１１）と針（２８、２９）と針（２９）の作動ピン（１７）といか（１０）の持ち上げ防止（１３）と針取替装置（１４）等の装置を設けたこの重もり（２０）を、磁力オフ装置（９）と針（２７）と幹糸（３）の貫通口（４）と軸（２６−１）とこの軸（２６−１）と軸（２６）の接続（３７）と針（２７）の取替装置（３８）とストッパー（３２）等の装置を設けた軸（２６）に設け、この軸（２６）とこの軸（２６）に設けた装置等を、針（２８、２９）のガイドを設け又は開閉スライド装置（１８）を設けたこれ等の装置を内部に収納装置を設け外面疑似餌色調と幹糸（３）との接続装置（３０、３３）等の装置を設けた、ケース（１２）に設け、軸針（２７）にいか（１０）が掛かると重量と引く力で磁力オフ装置（９）でオフとなり重もり付スライド針（２８）は落下又はリング付スライド針（２９）はケース（１２）に設けた開閉装置（１８）で放射状に開き落下し下部針（２７）と上下で挟さみ刺し装置を設け、いか脱落防止を設けいか外し装置（１５）で外し針（２７、２８、２９）は上下の向きが反対となり重もり付針（２８、２９）と軸針（２７）は重もり（２０）の落下でともに下がりケース（１２）の中に収納し磁力（８）でオンとなり定位置収納保持装置を設け軸（２６）と（２６−１）の曲り自在接続装置（３７）を設け巻上げ巻下げドラム（１−１）のとび出し絡らみ防止装置を設けてなるいか挟さみ刺し脱落防止針
【０００５】
本発明の請求項２はスライド穴を設けた重もり（２０）に針（２８）又は針の１端部に穴を設けたリング針（２９）と磁石（８−１）又は磁力吸着材（１１）とリング針（２９）の作動ピン（１７）といか（１０）の持上げ防止（１３）と針取替装置（１４）等の装置を設け、この重もり（２０）にスライド軸（２６）を通しこの軸（２６）の下部に針（２７）と磁力オフ装置（９）を設けこれをケース（１２）に設けた磁石（８）に通しこの磁力（８）とスライド重もり（２０）に設けた吸着材（１１）の間だに磁力オフ装置（９）を設け軸針（２７）にいか（１０）が掛かると増加重量により軸（２６）は下がると同時に磁力オフ装置（９）が下がりケース（１２）に設けた磁力（８）と重もり（２０）に設けた吸着材（１１）の吸着が離れ針（２８）又は（２９）付きのスライド重もり（２０）は落下し下部針（２７）と上、下で挟さみ刺し装置を設けてなる請求項１記載のいか挟さみ刺し脱落防止針
【０００６】
本発明の請求項３は上記スライド軸（２６）幹糸（３）のスライド穴（４）とケース（１２）に設けた磁力（８）の吸着オフ装置（９）と針（２７）とストッパー（３２）を設けいか（１０）が針（２７）に掛かると増加重で下部に軸（２６が下がりケース（１２）に設けた磁力（８）と重もり（２０）に設けた吸着材（１１）の吸着が吸着オフ装置（９）によって離れ針付き重もり（２０）の落下装置を設けたことを特徴とする請求項１
【０００７】
本発明の請求項４は上記スライド穴を設けた重もり（２０）に針（２８）又は針の１端部に穴を設けたリング針（２９）と磁石（８−１）又は磁力吸着材（１１）とリング針（２９）の作動ピン（１７）と針取替装置（１４）等の装置を設けこのスライド穴付針（２８、２９）付重もり（２０）を軸（２６）に設けて重量の落下による装置でいか（１０）の上、下挟さみ刺しと、重量移動による定位置にセット装置を設けたことを特徴とする請求項１
【０００８】
本発明の請求項５は上記ケース（１２）は磁石（８）とケース（１２）と幹糸（３）の接続装置（３０、３３）と軸（２６）のスライドと重もり（２０）設けた針（２８）のスライド出し入れのガイドとリング針（２９）の放射状開閉ガイド（１８）を設け又軸（２６）とスライド針付重もり（２０）をケース（１２）の内部に収納し絡らみ防止を設け外面は疑似餌色調を設けケース（１２）から針（２８、２９）を出し入れ挟さみ刺し収装置を特徴とする請求項１又は２、３、４３、４記載のいか挟さみ刺し脱落防止針
【０００９】
〔発明の実施の形能〕
〔図１〕はその立面（ａ）（ｂ）図で釣り糸（３）の貫通とスライドを設けた重もり（２０）に磁石又は吸着材（１１）と針（２８）を設け軸（２６）に磁力離し盤（９）と重もり（２０）の上部引上げ防止（３８）と軸（２６）の下部に針（２７）を設けた軸（２６）をケース（１２）に設けた磁石（８）に通しストッパー（３２）を設け軸針（２７）にいか（１０）が掛かると重量と引く力で軸（２６）がスライドし磁力離し盤（９）で磁力はオフとなり重もり付スライド針（２８）はスライドし下部針（２７）と上、下で挟さみ刺しを設けた図で（ａ）図はいか（１０）が掛かる以前の図であり（ｂ）図はいか（１０）が針掛かりし上、下の針（２８、２７）で挟持した図である
〔図２〕はその立面（ａ）（ｂ）図で釣り糸（３）の貫通とスライドを設けた重もり（２０）にリング針（２９）とこの針（２９）の作動自在リング（４７）と磁石又は吸着材（１１）を設け軸（２６）に磁力引離し盤（９）と重もり（２０）の上部方向引上げ防止（３８）と針（２７）を設けた軸（２６）をケース（１２）に設けた磁石（８）に通し針（２９）はケース（１２）に設けてあるスライド針リング（１８）に通しストッパー（３２）を設け下部針（２７）にいか（１０）が掛かるといかの重量と引く力で軸（２６）はスライドし磁力引離し盤（９）で磁力はオフとなり重もり付きスライド針（２９）は放射状に開きつつスライドし下部針（２７）のいかに上、下より挟さみ刺しを設けた図である
【００１０】
〔発明の効果〕
本発明の請求項１はスライド穴を設けた重もり（２０）に磁石（８−１）又は吸着材（１１）と針（２８、２９）と針（２９）の作動ピン（１７）といか（１０）の持ち上げ防止（１３）と針取替装置（１４）等の装置を設けたこの重もり（２０）を磁力オフ装置（９）と針（２７）と幹糸（３）の貫通口（４）と軸（２６−１）とこの軸（２６−１）と軸（２６）の接続（３７）と針（２７）の取替装置（３８）とストッパー（３２）等の装置を設けた軸（２６）に設け、この軸（２６）とこの軸（２６）に設けた装置等を、針（２８、２９）のガイドを設け又は開閉スライド装置（１８）を設けたこれ等の装置を内部に収納装置を設け外面疑似餌色調と幹糸（３）との接続装置（３０、３３）等の装置を設けた、ケース（１２）に設け、軸針（２７）にいか（１０）が掛かると重量と引く力で磁力オフ装置（９）でオフとなり重もり付スライド針（２８）は落下又はリング付スライド針（２９）はケース（１２）に設けた開閉装置（１８）で放射状に開き落下し下部針（２７）と上下で挟さみ刺し装置を設け、いか脱落防止を設けいか外し装置（１５）で外し針（２７、２８、２９）は上下の向きが反対となり重もり付針（２８、２９）と軸針（２７）は重もり（２０）の落下でともに下がりケース（１２）の中に収納し磁力（８）でオンとなり定位置収納保持装置を設け軸（２６）と（２６−１）の曲り自在接続装置（３７）を設け巻上げ巻下げドラム（１−１）のとび出し絡らみ防止装置を設けてなるいか挟さみ刺し脱落防止針
【００１１】
本発明の請求項２はスライド穴を設けた重もり（２０）に針（２８）又は針の１端部に穴を設けたリング針（２９）と磁石（８−１）又は磁力吸着材（１１）とリング針（２９）の作動ピン（１７）といか（１０）の持上げ防止（１３）と針取替装置（１４）等の装置を設け、この重もり（２０）にスライド軸（２６）を通しこの軸（２６）の下部に針（２７）と磁力オフ装置（９）を設けこれをケース（１２）に設けた磁石（８）に通しこの磁力（８）とスライド重もり（２０）に設けた吸着材（１１）の間だに磁力オフ装置（９）を設け軸針（２７）にいか（１０）が掛かると増加重量により軸（２６）は下がると同時に磁力オフ装置（９）が下がりケース（１２）に設けた磁力（８）と重もり（２０）に設けた吸着材（１１）の吸着が離れ針（２８）又は（２９）付きのスライド重もり（２０）は落下し下部針（２７）と上、下で挟さみ刺し装置を設けてなる請求項１記載のいか挟さみ刺し脱落防止針
【００１２】
本発明の請求項３は上記スライド軸（２６）幹糸（３）のスライド穴（４）とケース（１２）に設けた磁力（８）の吸着オフ装置（９）と針（２７）とストッパー（３２）を設けいか（１０）が針（２７）に掛かると増加重で下部に軸（２６が下がりケース（１２）に設けた磁力（８）と重もり（２０）に設けた吸着材（１１）の吸着が吸着オフ装置（９）によって離れ針付き重もり（２０）の落下装置を設けたことを特徴とする請求項１
【００１３】
本発明の請求項４は上記スライド穴を設けた重もり（２０）に針（２８）又は針の１端部に穴を設けたリング針（２９）と磁石（８−１）又は磁力吸着材（１１）とリング針（２９）の作動ピン（１７）と針取替装置（１４）等の装置を設けこのスライド穴付針（２８、２９）付重もり（２０）を軸（２６）に設けて重量の落下による装置でいか（１０）の上、下挟さみ刺しと、重量移動による定位置にセット装置を設けたことを特徴とする請求項１
【００１４】
本発明の請求項５は上記ケース（１２）は磁石（８）とケース（１２）と幹糸（３）の接続装置（３０、３３）と軸（２６）のスライドと重もり（２０）に設けた針（２８）のスライド出し入れのガイドとリング針（２９）の放射状開閉ガイド（１８）を設け又軸（２６）とスライド針付重もり（２０）をケース（１２）の内部に収納し絡らみ防止を設け外面は疑似餌色調を設けケース（１２）から針（２８、２９）を出し入れ挟さみ刺し収納装置を特徴とする請求項１又は２、３、４３、４記載のいか挟さみ刺し脱落防止針
【図面の簡単な説明】
【図１】本発明の第一の実施の形態の立面図（ａ）（ｂ）である
【図２】本発明の第一の実施の形態の立面図でリング針（２９）を設け放射状開閉前は（ａ）図（ｂ）図は開いた図である
【符号の説明】
１　　　回転機
１−１　釣り糸巻上げ巻き下げドラム
２　　　トップローラー
３　　　釣り幹糸
４　　　軸（２６）に設けた幹糸（３）の貫通穴
８　　　ケース（１２）に設けた磁石
９　　　磁力と磁力吸着材の吸着離し装置
１０　　　いか
１１　　　磁力吸着材
１２　　　重もり付スライド針（２８、２９）軸（２６）出し入れ収納疑似餌ケース
１３　　　いか（１０）が針持ち上げ外れ逃げ防止
１４　　　針（２８、２９）の取替装置
１５　　　いか外し装置
１７　　　リング付針（２９）の作動ピン
２０　　　針（２８、２９）のスライド用に使用スル重もり
２６　　　針付重もりスライドガイドと幹糸（３）を通し軸（２６）もスライドを設けた軸
２６−１　軸（２６）に接続した針（２７）を設けた軸
２７　　　軸（２６−１）に設けた針
２８　　　スライド重もりに設けた針
２９　　　スライド重もりに設けたリング付針
３０　　　ケース（１２）と幹糸（３）の接続具装置
３３　　　ケース（１２）と幹糸（３）の接続具装置
８−１　磁石（８）を重もりに設けた磁石
【図１】
2004097197.tif 000003
【図２】
2004097197.tif 000004